(57)【要約】【課題】薄葉紙の不要な飛び出しを抑制することができる薄葉紙収納容器を提供する。【解決手段】上面に取出口Ｃａを有し、内側に薄葉紙Ｐが積層された薄葉紙積層体Ｑを収納するケース体Ｃを備え、ケース体Ｃには、取出口Ｃａを塞ぐ方向側に向けて延出する延出部１４ｂが設けられ、延出部１４ｂは、基端よりも幅が広い幅広部分を有している。【選択図】図３
2014129108.tif 000002
【特許請求の範囲】
【請求項１】
上面に取出口を有し、内側に薄葉紙が積層された薄葉紙積層体を収納するケース体と、
前記取出口を開閉させる蓋体と、を備え、
前記ケース体には、前記取出口を塞ぐ方向側に向けて延出する延出部が設けられ、
前記延出部は、基端よりも幅が広い幅広部分を有し、
前記取出口は、平面視にて前記蓋体の開放状態時における当該薄葉紙収納容器自体の重心からずれた位置に設けられ、
前記延出部によって、前記取出口から取り出す薄葉紙の前記重心側に、当該薄葉紙の前記重心とは反対側よりも大きな抵抗を付与することを特徴とする薄葉紙収納容器。
【請求項２】
前記延出部は、前記基端から前記幅広部分に向けて最低でも３ｍｍ以上直線的に徐々に幅が広くなるような形状に形成されており、
前記取出口の縁部と前記延出部の側面とのなす角度は７０度から８５度であることを特徴とする請求項１に記載の薄葉紙収納容器。
【請求項３】
前記取出口は、短手方向の長さが１８ｍｍから２４ｍｍ、長手方向の長さが４０ｍｍから５０ｍｍの略長方形状に形成されており、
前記延出部の基端の幅は、４ｍｍから９ｍｍであり、
前記延出部の幅広部分の幅は、５ｍｍから１０ｍｍであり、
前記延出部の基端から先端までの長さは、６ｍｍから９ｍｍであることを特徴とする請求項１又は２に記載の薄葉紙収納容器。
【請求項４】
前記取出口の平面視における面積は、前記延出部の平面視における面積の１０倍から３６倍であることを特徴とする請求項３に記載の薄葉紙収納容器。
【請求項５】
前記延出部の先端から、前記ケース体のうち当該先端と対向する部分までの長さは、１３ｍｍから１７ｍｍであることを特徴とする請求項１から４の何れか一項に記載の薄葉紙収納容器。
【請求項６】
前記ケース体には、当該ケース体の内側に収納されている前記薄葉紙積層体を下側へと押さえる突出部が設けられており、
前記突出部には、指が挿入可能な切欠部が形成されていることを特徴とする請求項１から５に記載の薄葉紙収納容器。
【発明の詳細な説明】
【技術分野】
【０００１】
本発明は、薄葉紙を収納する薄葉紙収納容器に関する。
【背景技術】
【０００２】
従来、家屋の床やトイレ、或いは人体などを拭くための薄葉紙を収納する薄葉紙収納容器が知られている。
このような薄葉紙収納容器においては、薄葉紙を収納するためのケース体の上面に、その開放端を上下方向に回動させることで開閉を行う蓋体を設けた構成が一般的である（例えば、特許文献１参照）。しかしながら、この構成の場合、蓋体を開くと当該蓋体が起立した状態になるため、蓋体を開ける際に高さが必要となり、狭いスペースでは使いづらいという問題があった。また、この構成の場合、蓋体を開くと当該蓋体が起立した状態になるため、蓋体が邪魔になって蓋体の後ろ側からは薄葉紙が取り出しづらいという問題があった。
これに対し、スライド移動することで開閉を行う蓋体を設けた構成（例えば、特許文献２、３参照）とすれば、蓋体が開いても蓋体が起立した状態にならないため、狭いスペースでも使いやすく、蓋体が邪魔にならず薄葉紙を全方向から取り出すことができる。
【先行技術文献】
【特許文献】
【０００３】
【特許文献１】実用新案登録第３０６０２５８号公報
【特許文献２】特許第３３１８１６６号公報
【特許文献３】特許第３３２２８０５号公報
【発明の概要】
【発明が解決しようとする課題】
【０００４】
ところで、薄葉紙は、例えば、一の薄葉紙が折り畳まれ、その折り返し部分に他の薄葉紙が挟み込まれた状態で折り重ねられることによって、複数枚の薄葉紙が連続的に積層された状態で収納されている。このようにポップアップ方式で折り重ねることによって、最上層の薄葉紙を取り出すと、これに挟み込まれていた次層の薄葉紙の一部が取出口から突出するので、薄葉紙の取り出しが容易となる。
しかしながら、薄葉紙をポップアップ方式で折り重ねた場合、次層の薄葉紙の飛び出し長さ（取出口から突出した部分の長さ）が必要以上に長くなったり、複数枚の薄葉紙が連なって引き出されたりするという問題がある。
【０００５】
本発明の課題は、薄葉紙の不要な飛び出しを抑制することができる薄葉紙収納容器を提供することである。
【課題を解決するための手段】
【０００６】
上記課題を解決するために、請求項１に記載の発明は、薄葉紙収納容器において、
上面に取出口を有し、内側に薄葉紙が積層された薄葉紙積層体を収納するケース体と、
前記取出口を開閉させる蓋体と、を備え、
前記ケース体には、前記取出口を塞ぐ方向側に向けて延出する延出部が設けられ、
前記延出部は、基端よりも幅が広い幅広部分を有し、
前記取出口は、平面視にて前記蓋体の開放状態時における当該薄葉紙収納容器自体の重心からずれた位置に設けられ、
前記延出部によって、前記取出口から取り出す薄葉紙の前記重心側に、当該薄葉紙の前記重心とは反対側よりも大きな抵抗を付与することを特徴とする。
【０００７】
請求項２に記載の発明は、請求項１に記載の薄葉紙収納容器において、
前記延出部は、前記基端から前記幅広部分に向けて最低でも３ｍｍ以上直線的に徐々に幅が広くなるような形状に形成されており、
前記取出口の縁部と前記延出部の側面とのなす角度は７０度から８５度であることを特徴とする。
【０００８】
請求項３に記載の発明は、請求項１又は２に記載の薄葉紙収納容器において、
前記取出口は、短手方向の長さが１８ｍｍから２４ｍｍ、長手方向の長さが４０ｍｍから５０ｍｍの略長方形状に形成されており、
前記延出部の基端の幅は、４ｍｍから９ｍｍであり、
前記延出部の幅広部分の幅は、５ｍｍから１０ｍｍであり、
前記延出部の基端から先端までの長さは、６ｍｍから９ｍｍであることを特徴とする。
【０００９】
請求項４に記載の発明は、請求項３に記載の薄葉紙収納容器において、
前記取出口の平面視における面積は、前記延出部の平面視における面積の１０倍から３６倍であることを特徴とする。
【００１０】
請求項５に記載の発明は、請求項１から４の何れか一項に記載の薄葉紙収納容器において、
前記延出部の先端から、前記ケース体のうち当該先端と対向する部分までの長さは、１３ｍｍから１７ｍｍであることを特徴とする。
【００１１】
請求項６に記載の発明は、請求項１から５の何れか一項に記載の薄葉紙収納容器において、
前記ケース体には、当該ケース体の内側に収納されている前記薄葉紙積層体を下側へと押さえる突出部が設けられており、
前記突出部には、指が挿入可能な切欠部が形成されていることを特徴とする。
【発明の効果】
【００１２】
本発明によれば、取出口から取り出す薄葉紙が延出部の基端付近に挟まれやすくなるので、取出口から取り出す薄葉紙に付与する抵抗を増加させることができ、薄葉紙の不要な飛び出しを抑制することが可能となる。
【図面の簡単な説明】
【００１３】
【図１】本発明の実施形態に係る薄葉紙収納容器において、（ａ）は上蓋を閉めた状態を示す斜視図、（ｂ）は上蓋を開けた状態を示す斜視図である。
【図２】本発明の実施形態に係る薄葉紙収納容器において、上蓋を閉めた状態を示す平面図である。
【図３】本発明の実施形態に係る薄葉紙収納容器において、上蓋を開けた状態を示す平面図である。
【図４】図２の薄葉紙収納容器のIV−IV線における断面図である。
【図５】図３の薄葉紙収納容器のV−V線における断面図である。
【図６】（ａ）ケース側パッキンを示す平面図、（ｂ）ケース側パッキンを示す斜視図である。
【図７】（ａ）ケース側パッキンの変形例を示す図、（ｂ）ケース側パッキンの他の変形例を示す図である。
【図８】容器本体を示す平面図である。
【図９】シャーシ及び付勢部材を示す平面図である。
【図１０】上蓋を示す平面図である。
【図１１】ケース側パッキンの評価結果を示す図である。
【図１２】ケース側パッキンの比較例を示す図である。
【図１３】ケース側パッキンの比較例を示す図である。
【図１４】ケース側パッキンの比較例を示す図である。
【発明を実施するための形態】
【００１４】
以下、本発明の実施の形態を図面に基づいて説明する。ただし、発明の範囲は、図示例に限定されない。
【００１５】
＜薄葉紙収納容器の構成＞
まず、本実施形態の薄葉紙収納容器の構成について説明する。
なお、以下の説明では、薄葉紙収納容器の平面視長手方向を左右方向、平面視短手方向を前後方向、高さ方向を上下方向とする。
【００１６】
本実施形態に係る薄葉紙収納容器１は、例えば、図１（ａ）に示すように、上蓋２０を閉じた状態で前後方向の側面視にて上側の角が丸みを帯びた略長方形状に形成されており、内部にウェットシートやウェットティシュー等のウェットタイプの薄葉紙Ｐを収納可能に構成されている。なお、薄葉紙収納容器１には、ティシューペーパーやキッチンペーパーやペーパータオル等のドライタイプの薄葉紙Ｐを収納しても良い。
具体的には、薄葉紙収納容器１は、例えば、図１（ａ），（ｂ）、図２から図５に示すように、上面に薄葉紙Ｐを取り出すための取出開口１１を有するとともに下面に薄葉紙Ｐが積層された薄葉紙積層体Ｑを詰め替えるための底面開口１２を有し、内側の収納空間部Ｓに薄葉紙積層体Ｑを収納する容器本体１０と、容器本体１０の上面にスライド移動自在に設けられ、取出開口１１を開閉させる上蓋２０と、上蓋２０を容器本体１０に取り付けるためのシャーシ３０と、容器本体１０の底面開口１２を塞ぐ底蓋４０と、上蓋２０を開放状態となる方向に付勢する付勢部材５０と、等を備えて構成される。
【００１７】
容器本体１０、上蓋２０、シャーシ３０及び底蓋４０は、例えば、ＰＰ（ポリプロピレン）、ＰＥ（ポリエチレン）、ＰＶＣ（ポリ塩化ビニル）、ＰＥＴ（ポリエチレンテレフタレート）、ＡＢＳ（Acrylonitrile Butadiene Styrene）等の熱可塑性樹脂から形成されている。
また、本実施形態においては、付勢部材５０として、引張コイルばね（引きばね）を用いるが、これに限ることはなく、付勢部材５０は、伸縮部材であれば適宜任意に変更可能であり、例えば、トーションばねや圧縮コイルばね（押しばね）等であっても良い。
また、付勢部材５０は、金属材料からなる伸縮部材であっても、高分子材料からなる伸縮部材であっても良い。高分子材料からなる伸縮部材としては、例えば、プラスチック製の伸縮部材、シリコンゴム等のゴムや、スチレン系、オレフィン系、塩化ビニル系、ポリエステル系、ポリウレタン系、ナイロン系のエラストマー等の熱可塑性エラストマーなどの弾性体（軟質材料）製の伸縮部材等が挙げられ、また、その形状は、ばね状であっても、板状やチューブ状や紐状であっても良く、適宜任意に変更可能である。付勢部材５０が高分子材料からなる場合、金属製の付勢部材と違って錆びることがないので、長期に亘って安定的に使用することができる。薄葉紙収納容器１に収納する薄葉紙Ｐが、ウェットタイプの薄葉紙Ｐである場合は特に、金属製の付勢部材５０を用いると、薄葉紙Ｐから蒸発した薬液によって付勢部材が錆びる可能性が高くなるので、高分子材料からなる付勢部材５０を用いることが好ましい。
また、本実施形態においては、薄葉紙Ｐとして、不織布を用いる。薄葉紙Ｐとして用いる不織布は、一般的である目付けである２５ｇ／ｍ２〜６０ｇ／ｍ２の範囲であり、中でも３０ｇ／ｍ２〜４０ｇ／ｍ２が望ましい。なお、薄葉紙Ｐとしては、繊維集合体からなるものであれば特に限定されるものではなく、不織布の他に、例えば、紙や織布等も用いることができる。
【００１８】
ここで、上蓋２０は、左右方向（容器本体１０の平面視長手方向）にスライド移動することで開閉を行う。すなわち、上蓋２０は、閉塞状態時の位置から左右方向の一方（本実施形態の場合、左方向）にスライド移動することで開放状態となり、開放状態時の位置から左右方向の他方（本実施形態の場合、右方向）にスライド移動することで閉塞状態となる。そして、上蓋２０が開放状態となる方向（左方向）に移動することで、薄葉紙収納容器１の左右一側（本実施形態の場合、左側）が、薄葉紙収納容器１の左右他側（本実施形態の場合、右側）よりも重くなるように構成されている。また、ケース体Ｃに形成された取出口Ｃａは、平面視にて上蓋２０の開放状態時における薄葉紙収納容器１自体の重心からずれた位置（本実施形態の場合、右側にずれた位置）に設けられている。
以下、上蓋２０の開放状態時における薄葉紙収納容器１自体の重心を、「開放重心」という。
なお、本実施形態では、取出口Ｃａを、平面視にて上蓋２０の開放状態時における薄葉紙収納容器１自体の重心からずれた位置に設けたが、これに限ることはなく、例えば、平面視にて上蓋２０の開放状態時における薄葉紙収納容器１自体の重心と一致する位置に取出口Ｃａを設けることも可能である。
【００１９】
また、収納空間部Ｓに収納されている薄葉紙積層体Ｑは、例えば、複数枚の薄葉紙Ｐが積層された詰替え用の薄葉紙積層体であって、ケース体Ｃに形成された取出口Ｃａから薄葉紙Ｐを継続して取り出せるように交互に折り重ねられた状態で積層されている。すなわち、薄葉紙Ｐは、薄葉紙Ｐを取出口Ｃａからケース体Ｃの外側へ引き出したときに、次の薄葉紙Ｐの上端が取出口Ｃａよりも突出する位置まで収納空間部Ｓから引き出されるように、いわゆるポップアップ方式で折り重ねられている。
なお、薄葉紙積層体Ｑは、本実施形態のように包装体Ｔによって内包されていても良いし、包装体Ｔによって内包されていなくても良い。特に、薄葉紙収納容器１に収納する薄葉紙Ｐが、本実施形態のようにウェットタイプの薄葉紙Ｐである場合には、薄葉紙積層体Ｑは防湿性の包装体Ｔによって内包されていることが好ましい。
【００２０】
容器本体１０は、例えば、図１（ａ），（ｂ）に示すように、当該容器本体１０の上面を構成する上面部１０ａと、当該容器本体１０の前後左右の周面を構成する周面部１０ｂと、からなり、容器本体１０の下面は平面視にて角のとれた略長方形状を呈する底面開口１２となっている。そして、この底面開口１２を塞ぐように取り付けられた底蓋４０と、容器本体１０の上面部１０ａ及び周面部１０ｂと、によって囲まれた空間が、薄葉紙積層体Ｑを収納するための収納空間部Ｓとなる。
なお、本実施形態では、下面が開口した容器本体１０を用い、薄葉紙積層体Ｑを容器本体１０の下面側から詰め替えるように構成したが、これに限ることはなく、例えば、下面は閉口して前後左右の何れかの面が開口した容器本体１０を用い、薄葉紙積層体Ｑを容器本体１０の前後左右の何れかの面側から詰め替えるように構成することも可能である。
【００２１】
容器本体１０の上面部１０ａには、例えば、図４、図５に示すように、下側に向けて陥没する凹部１３が設けられており、この凹部１３の底面部１３ａに取出開口１１が形成されている。なお、本実施形態では、底面部１３ａのうち左右方向（容器本体１０の平面視長手方向）中央よりも一側（本実施形態の場合、右側）にずれた位置に取出開口１１を形成したが、これに限ることはなく、例えば、底面部１３ａの左右方向略中央に取出開口１１を形成することも可能である。
取出開口１１は、容器本体１０の内部の収納空間部Ｓに収納された薄葉紙Ｐを取り出すための、平面視にて角のとれた略長方形状に形成された開口である。
【００２２】
この取出開口１１の周縁部には、例えば、図４、図５に示すように、取出口Ｃａを有する枠状のケース側パッキン１４が装着されている。
取出口Ｃａは、上蓋２０が開放状態（図１（ｂ）、図３、図５参照）となった場合に開放され、このとき薄葉紙Ｐは、取出口Ｃａを通じて一枚毎に収納空間部Ｓから外部に引き出すことができるようになっている。
また、取出口Ｃａは、上蓋２０が閉塞状態（図１（ａ）、図２、図４参照）となった場合に閉塞されるようになっている。
すなわち、本実施形態の場合、上面に取出口Ｃａを有し、内側に薄葉紙Ｐが積層された薄葉紙積層体Ｑを収納するケース体Ｃは、容器本体１０と、当該容器本体１０の上面に固定されるシャーシ３０と、当該容器本体１０の上面に装着されるケース側パッキン１４と、からなり、上蓋２０は、ケース体Ｃのうちシャーシ３０に取り付けられている。
【００２３】
また、上蓋２０の下面にも、蓋側パッキン２１が取り付けられている。
蓋側パッキン２１は、上蓋２０の下面のうち上蓋２０の閉塞状態においてケース側パッキン１４に対応する位置に設けられており、ケース側パッキン１４と蓋側パッキン２１とは、上蓋２０が閉塞状態となった場合に互いに密着して（図４参照）、収納空間部Ｓ内の気密性を保持するように構成されている。すなわち、ケース側パッキン１４及び蓋側パッキン２１が、収納空間部Ｓ内を気密に保つための気密手段として機能する。
これにより、薄葉紙収納容器１に収納する薄葉紙Ｐが、本実施形態のようにウェットタイプの薄葉紙Ｐである場合には、薄葉紙Ｐに含浸した薬液の蒸発を防止できるようになっている。
【００２４】
なお、本実施形態では、ケース側パッキン１４及び蓋側パッキン２１を、ＬＤＰＥ（Low Density Polyethylene）で形成したが、これに限ることはない。ケース側パッキン１４及び蓋側パッキン２１は、例えば、ＰＥ（Polyethylene）やＰＰ（Polypropylene）などの硬質材料で形成しても良いし、シリコンゴム等のゴムや、スチレン系、オレフィン系、塩化ビニル系、ポリエステル系、ポリウレタン系、ナイロン系のエラストマー等の熱可塑性エラストマーなどの軟質材料で形成しても良い。また、ケース側パッキン１４及び蓋側パッキン２１を、同じ材料で形成しても良いし、異なる材料で形成しても良い。また、ケース側パッキン１４及び蓋側パッキン２１は、薄葉紙収納容器１に収納する薄葉紙Ｐがウェットタイプである場合は特に、薬液耐性のある材料で形成されることが好ましい。
また、本実施形態では、容器本体１０にケース側パッキン１４を設けて上蓋２０に蓋側パッキン２１を設けた、すなわち、容器本体１０と上蓋２０との双方に気密手段を設けたが、これに限ることはなく、気密手段によって取出口Ｃａの周縁と上蓋２０との隙間を封止できるのであれば、例えば、容器本体１０だけに気密手段を設けても良いし、上蓋２０だけに気密手段を設けても良い。また、シャーシ３０に気密手段を設けても良い。
【００２５】
ここで、本実施形態の場合、収納空間部Ｓに収納されている薄葉紙Ｐの折り方向、すなわち折り畳み線が延びる方向は、左右方向（容器本体１０の平面視長手方向）に対して平行になっている。
また、取出開口１１の長手方向は、左右方向（容器本体１０の平面視長手方向）に対して直交している。
したがって、薄葉紙Ｐは、収納空間部Ｓから外部へと引き出される際、主に、取出開口１１に装着されたケース側パッキン１４の長手部分（ケース側パッキン１４のうち収納空間部Ｓに収納されている薄葉紙Ｐの折り方向に直交する部分）に接触する。
【００２６】
ケース側パッキン１４には、例えば、図４、図５に示すように、当該ケース側パッキン１４本体から下側（収納空間部Ｓに収納されている薄葉紙積層体Ｑ側）に向けて突出する突出部１４ａが設けられている。この突出部１４ａによって、ケース体Ｃの内側に収納されている薄葉紙積層体Ｑを下側へと押さえることができ、さらに、最上層の薄葉紙Ｐを取り出す際に、ケース側パッキン１４の突出部１４ａが最上層の薄葉紙Ｐや次層の薄葉紙Ｐと接触して、最上層の薄葉紙Ｐや次層の薄葉紙Ｐに抵抗を付与するので、次層の薄葉紙Ｐの飛び出し長さ（取出口Ｃａから突出した部分の長さ）が必要以上に長くなったり、複数枚の薄葉紙Ｐが連なって引き出されたりすることを抑制することができる。すなわち、薄葉紙Ｐが不要に飛び出さないように、ケース側パッキン１４で薄葉紙Ｐを押さえることができる。
【００２７】
さらに、ケース側パッキン１４の突出部１４ａのうち左側部分（開放重心側の部分）には、例えば、図６（ａ）、（ｂ）に示すように、内側に向けて（すなわち、取出口Ｃａを塞ぐ方向側に向けて）延出する延出部１４ｂが設けられている。
前述したように、取出口Ｃａから取り出す薄葉紙Ｐは、主にケース側パッキン１４の長手部分、すなわちケース側パッキン１４の左側部分及び右側部分に接触する。その接触する部分のうちの左側部分（開放重心側の部分）に延出部１４ｂを設けることで、取出口Ｃａから取り出す薄葉紙Ｐの左側（開放重心側）に付与する抵抗を増加させることができる。
【００２８】
ここで、延出部１４ｂは、当該延出部１４ｂの基端よりも幅が広い幅広部分を有している。
具体的には、本実施形態の延出部１４ｂは、例えば、図６（ａ），（ｂ）に示すように、当該延出部１４ｂの基端よりも幅が広い幅広部分を有し、基端から幅広部分に向けて直線的に徐々に幅が広くなるような形状で、かつ、角部を有さない丸みを帯びた形状に形成されている。
これにより、取出口Ｃａから取り出す薄葉紙Ｐが、延出部１４ｂの基端付近（具体的には、延出部１４ｂのうち基端から幅広部分までの部分の側面と突出部１４ａの内面との間）に入り込みやすく挟まれやすくなるので、取出口Ｃａから取り出す薄葉紙Ｐ（特に、薄葉紙Ｐの左側（開放重心側））に付与する抵抗をより増加させることができ、薄葉紙Ｐの不要な飛び出しを十分に抑制することが可能となる。
延出部１４ｂの基端から幅広部分までの直線部分の長さは、最低でも３ｍｍ以上であることが好ましい。この長さが３ｍｍよりも短いと、薄葉紙Ｐが延出部１４ｂの基端付近に挟まれにくくなるので、取出口Ｃａから取り出す薄葉紙Ｐに付与する抵抗を十分に増加させることができなくなる。
また、取出口Ｃａの縁部（具体的には、本実施形態の場合、突出部１４ａの内面）と延出部１４ｂの側面とのなす角度θは、７０度から８５度であることが好ましく、８０度から８２度がより好ましい。取出口Ｃａの縁部と延出部１４ｂの側面とのなす角度θが、７０度よりも小さいと、取出口Ｃａから取り出す薄葉紙Ｐに付与する抵抗が大きくなり過ぎて、薄葉紙収納容器１が持ち上がってしまう場合がある。取出口Ｃａの縁部と延出部１４ｂの側面とのなす角度θが、８５度よりも大きいと、薄葉紙Ｐが延出部１４ｂの基端付近に挟まれにくくなるので、取出口Ｃａから取り出す薄葉紙Ｐに付与する抵抗を十分に増加させることができなくなる。
【００２９】
また、角部を有さない丸みを帯びた形状であるため、薄葉紙Ｐが丸みに沿って動き、薄葉紙Ｐが延出部１４ｂの基端付近に入り込みやすくなるとともに、薄葉紙Ｐからの抵抗が延出部１４ｂに均一にかかるため、薄葉紙Ｐの不要な飛び出しを効果的に抑制することができるとともに、薄葉紙Ｐを取出口Ｃａから取り出す際における薄葉紙収納容器１の持ち上がりを効果的に抑制することができる。また、延出部１４ｂに薄葉紙Ｐが引っ掛かって毛羽立ったり破れたりすることがない。
【００３０】
例えば、取出口Ｃａが、短手方向の長さが１８ｍｍから２４ｍｍ、長手方向の長さが４０ｍｍから５０ｍｍの略長方形状に形成されている場合、延出部１４ｂの基端の幅Ｗ１は４ｍｍから９ｍｍ、延出部１４ｂの幅広部分の幅（延出部１４ｂの最大幅）Ｗ２は５ｍｍから１０ｍｍであることが好ましく、基端の幅Ｗ１は６ｍｍ、幅広部分の幅Ｗ２は７ｍｍであることがより好ましい。
延出部１４ｂの基端の幅Ｗ１が、４ｍｍよりも短いと、取出口Ｃａから薄葉紙Ｐを引き出す動作の繰り返しに対する耐性が低くなるので、延出部１４ｂが突出部１４ａから取れやすくなる。また、延出部１４ｂの基端の幅Ｗ１と延出部１４ｂの幅広部分の幅Ｗ２との差は１ｍｍ程度が好ましいため、延出部１４ｂの基端の幅Ｗ１の最低値（４ｍｍ）が決まると、必然的に延出部１４ｂの幅広部分の幅Ｗ２の最低値（５ｍｍ）が決まる。
延出部１４ｂの基端の幅Ｗ１が、９ｍｍよりも長いと、取出口Ｃａに指が入れづらくなるので、取出口Ｃａに指を入れて薄葉紙Ｐの端部を引き出す作業が行いにくくなる。
延出部１４ｂの幅広部分の幅Ｗ２が、１０ｍｍよりも長いと、取出口Ｃａに指が入れづらくなるので、取出口Ｃａに指を入れて薄葉紙Ｐの端部を引き出す作業が行いにくくなる。また、延出部１４ｂの幅広部分の幅Ｗ２が、１０ｍｍよりも長いと、薄葉紙Ｐから付与される抵抗が大きくなり、取出口Ｃａから引き出される薄葉紙Ｐに追従して延出部が動きやすくなるので、取出口Ｃａから取り出す薄葉紙Ｐに、不要な飛び出しを十分に抑制できる程度の抵抗を付与することができなくなる。
【００３１】
また、例えば、取出口Ｃａが、短手方向の長さが１８ｍｍから２４ｍｍ、長手方向の長さが４０ｍｍから５０ｍｍの略長方形状に形成されている場合、延出部１４ｂの基端から先端までの長さＷ３は、６ｍｍから９ｍｍであることが好ましく、７ｍｍであることがより好ましい。
延出部１４ｂの基端から先端までの長さＷ３が、６ｍｍよりも短いと、薄葉紙Ｐが延出部１４ｂの基端付近に入り込みにくく挟まれにくくなるので、取出口Ｃａから取り出す薄葉紙Ｐに付与する抵抗を十分に増加させることができなくなる。
延出部１４ｂの基端から先端までの長さＷ３が、９ｍｍよりも長いと、取出口Ｃａに指が入れづらくなるので、取出口Ｃａに指を入れて薄葉紙Ｐの端部を引き出す作業が行いにくくなる。
【００３２】
また、延出部１４ｂの先端から、ケース体Ｃ（本実施形態の場合、ケース側パッキン１４）のうち当該先端と対向する部分までの長さＷ４は、人間の人差し指の幅である１３ｍｍから１７ｍｍであることが好ましく、１５ｍｍであることがより好ましい。
これにより、取出口Ｃａに指を入れて薄葉紙Ｐの端部を引き出す作業が行いやすくなる。
【００３３】
また、本実施形態において、取出口Ｃａの面積（平面視における面積）に対する延出部１４ｂの面積（平面視における面積）は、取出口Ｃａから取り出す薄葉紙Ｐに十分な抵抗を付与することができ、かつ、取出口Ｃａに指が入れやすくなるような範囲に設定されている。
例えば、取出口Ｃａが、短手方向の長さが１８ｍｍから２４ｍｍ、長手方向の長さが４０ｍｍから５０ｍｍの略長方形状に形成されている場合、取出口Ｃａの平面視における面積は、延出部１４ｂの平面視における面積の１０倍から３６倍であることが好ましく、２０倍から２５倍であることがより好ましい。
【００３４】
例えば、図１２に示す各ケース側パッキンに設けられた延出部のように、基端よりも幅が広い幅広部分を有さず、基端から先端に向けて徐々に幅が狭くなるような場合、薄葉紙が延出部の基端付近に挟まれにくく、取出口から取り出す薄葉紙に十分な抵抗を付与することができない。これは、図１２（ａ）、図１２（ｂ）に示すケース側パッキンのように、延出部の側面と突出部の内面との境界がなだらかであるか否かにかかわらず、図１２（ａ）、図１２（ｃ）に示すケース側パッキンのように、延出部の基端から先端までの長さにかかわらず、図１２（ａ）、図１２（ｄ）に示すケース側パッキンのように、延出部の基端の幅にかかわらず、言えることである。
また、図１３に示すケース側パッキンに設けられた延出部のように、基端よりも幅が広い幅広部分を有さず、先端部分以外の部分の幅が一定である（すなわち、取出口の縁部と延出部の側面とのなす角度が略直角である）場合も、薄葉紙が延出部の基端付近に挟まれにくく、取出口から取り出す薄葉紙に十分な抵抗を付与することができない。
また、図１４に示すケース側パッキンに設けられた延出部のように、基端よりも幅が広い幅広部分を有していても、基端と幅広部分との間に基端よりも幅が狭いくびれ部分を有している場合には、幅広部分を有していない延出部よりは、延出部の基端付近に薄葉紙が挟まれやすいので、取出口から取り出す薄葉紙に、幅広部分を有していない延出部よりも大きな抵抗を付与することはできる。しかしながら、この場合、延出部が取出口から引き出される薄葉紙に追従してくびれ部分を支点に動くため、取出口から取り出す薄葉紙に、不要な飛び出しを十分に抑制できる程度の抵抗は付与することができない。
一方、本実施形態の延出部１４ｂのように、基端よりも幅が広い幅広部分を有し、基端から幅広部分に向けて直線的に徐々に幅が広くなるような場合、取出口Ｃａの縁部（具体的には、本実施形態の場合、突出部１４ａの内面）と延出部１４ｂの側面とのなす角度θが鋭角であるため、薄葉紙Ｐが延出部１４ｂの基端付近に入り込みやすく挟まれやすい。また、くびれ部分を有する場合よりも上下動しにくいので、延出部１４ｂが取出口から引き出される薄葉紙に追従して動くことも少ないし、動いたとしてもその動きの量がくびれ部分を有する場合よりも小さい。よって、取出口から取り出す薄葉紙に十分な抵抗を付与することができ、薄葉紙の不要な飛び出しを十分に抑制することが可能である。
【００３５】
また、軟質材料は硬質材料よりも摩擦抵抗が高いので、ケース側パッキン１４を軟質材料で形成すると、薄葉紙Ｐを取出口Ｃａから取り出す際に薄葉紙収納容器１が持ち上がってしまう場合がある。よって、ケース側パッキン１４は、ゴムや熱可塑性エラストマーなどの軟質材料で形成するよりも、ＰＥやＰＰなどの硬質材料で形成する方が好ましい。
【００３６】
さらに、ケース側パッキン１４の突出部１４ａのうち右側部分（開放重心とは反対側の部分）には、例えば、図７（ａ）に示すように、薄葉紙Ｐに付与する抵抗を減少させるための抵抗減少用切欠部１４ｃが設けられていることが好ましい。
前述したように、取出口Ｃａから取り出す薄葉紙Ｐは、主にケース側パッキン１４の左側部分及び右側部分に接触する。その接触する部分のうちの右側部分（開放重心とは反対側の部分）に抵抗減少用切欠部１４ｃを設けることで、取出口Ｃａから取り出す薄葉紙Ｐの右側（開放重心とは反対側）に付与する抵抗を減少させることができる。
なお、図示では、抵抗減少用切欠部１４ｃの形状を、上側に向けて幅（前後方向の長さ）が徐々に狭くなる台形状としたが、これに限ることはなく、抵抗減少用切欠部１４ｃの形状は適宜任意に変更可能である。
【００３７】
ケース側パッキン１４の開放重心側に延出部１４ｂを設けるだけでも、取出口Ｃａから取り出す薄葉紙Ｐの左側（開放重心側）に、当該薄葉紙Ｐの右側（開放重心とは反対側）よりも大きな抵抗を付与することができるが、さらに、開放重心とは反対側に抵抗減少用切欠部１４ｃを設けることで、取出口Ｃａから取り出す薄葉紙Ｐの左側（開放重心側）に付与される抵抗と、当該薄葉紙Ｐの右側（開放重心とは反対側）に付与される抵抗との差をより大きくすることができる。
【００３８】
また、ケース側パッキン１４の突出部１４ａのうち前側部分と後側部分の双方（あるいは、一方であってもよい）には、例えば、図７（ｂ）に示すように、人間の指が挿入可能な指挿入用切欠部１４ｄが設けられていることが好ましい。
指挿入用切欠部１４ｄを設けることによって、突出部１４ａに邪魔されることなく取出口Ｃａから収納空間部Ｓ内に指を入れることができるので、例えば、未使用の薄葉紙積層体Ｑから薄葉紙Ｐを引き出す場合や、薄葉紙Ｐのうち取出口Ｃａからの突出部分が収納空間部Ｓ内に落ち込んでしまった場合に、薄葉紙Ｐの端部を取出口Ｃａよりも突出する位置まで楽に引き出すことができる。すなわち、取出口Ｃａに指を入れて薄葉紙Ｐの端部を引き出す作業が行いやすくなる。
前述したように、取出口Ｃａから取り出す薄葉紙Ｐは、主にケース側パッキン１４の左側部分及び右側部分に接触し、前側部分や後側部分には接触しにくい。したがって、前側部分や後側部分に指挿入用切欠部１４ｄを設けても、突出部１４ａの効果（すなわち、取出口Ｃａから取り出す薄葉紙Ｐに抵抗を付与して、薄葉紙Ｐの不要な飛び出しを抑制するという効果）が低下することはない。
なお、図７（ｂ）に示すケース側パッキン１４には、抵抗減少用切欠部１４ｃと指挿入用切欠部１４ｄとの両方が設けられているが、抵抗減少用切欠部１４ｃは設けられていなくてもよい。
【００３９】
また、取出口Ｃａは、例えば、図８に示すように、平面視にて包装体Ｔの開口Ｔ１とずれているとともに、取出口Ｃａの中心は、平面視にて包装体Ｔの開口Ｔ１の中心よりも右側（開放重心とは反対側）にずれていることが好ましい。
すなわち、例えば、図４、図５に示すように、開口Ｔ１の左端部（開口Ｔ１の最長軸上にある左端部）から取出口Ｃａの左端部までの距離Ｌ１は、開口Ｔ１の右端部（開口Ｔ１の最長軸上にある右端部）から取出口Ｃａの右端部までの距離Ｌ２よりも長いことが好ましい。この場合、取出口Ｃａにおいて取出口Ｃａから取り出す薄葉紙Ｐの左側（開放重心側）が当該薄葉紙Ｐの右側（開放重心とは反対側）よりも大きく屈折するので、薄葉紙Ｐの左側と取出口Ｃａの左端部（本実施形態の場合、ケース側パッキン１４の左側部分）との間には、薄葉紙Ｐの右側と取出口Ｃａの右端部（本実施形態の場合、ケース側パッキン１４の右側部分）との間よりも大きな摩擦力が発生する。したがって、薄葉紙収納容器１は、包装体Ｔの開口Ｔ１に対する取出口Ｃａの位置及び大きさによって、取出口Ｃａから取り出す薄葉紙Ｐの左側（開放重心側）に、当該薄葉紙Ｐの右側（開放重心とは反対側）よりも大きな抵抗を付与することができる。
【００４０】
また、薄葉紙収納容器１は、上蓋２０の開放状態時における薄葉紙収納容器１のうち取出口Ｃａの中心よりも開放重心側の部分の荷重を「Ａ」、取出口Ｃａの中心よりも開放重心とは反対側の部分の荷重を「Ｂ」、取出口Ｃａから取り出す薄葉紙Ｐの開放重心側に付与される抵抗力を「ａ」、当該薄葉紙Ｐの開放重心とは反対側に付与される抵抗力を「ｂ」とした場合、下記の（１）〜（３）の全てを満たすように構成されていることが好ましい。これにより、薄葉紙Ｐを取出口Ｃａから取り出す際における薄葉紙収納容器１の持ち上がりを抑制することができる。
（１）Ａ＞Ｂ、
（２）ａ＜Ａ及びｂ＜Ｂ、
（３）ａ＞ｂ
【００４１】
そして、本実施形態の薄葉紙収納容器１は、ケース側パッキン１４の開放重心側に延出部１４ｂを設けることによって、「（３）ａ＞ｂ」の条件を満たすこと、すなわち取出口Ｃａから取り出す薄葉紙Ｐの開放重心側に、当該薄葉紙Ｐの開放重心とは反対側よりも大きな抵抗を付与することができる。したがって、薄葉紙Ｐを取出口Ｃａから取り出す際に薄葉紙収納容器１にかかる上向きの力は、主に取出口Ｃａの開放重心側の端部（本実施形態の場合、左端部）にかかるが、薄葉紙収納容器１の開放重心側の重量によって、薄葉紙収納容器１の持ち上がりを抑制することができる。
【００４２】
また、前述したように、本実施形態の薄葉紙収納容器１は、ケース側パッキン１４の開放重心側に延出部１４ｂを設けることに加えて、ケース側パッキン１４の開放重心とは反対側に抵抗減少用切欠部１４ｃを設けるよう構成することも可能であるが、このように構成することで、「ａ≫ｂ」となり、より効果的に薄葉紙収納容器１の持ち上がりを抑制することができる。
【００４３】
また、前述したように、本実施形態の薄葉紙収納容器１は、ケース側パッキン１４の開放重心側に延出部１４ｂを設けることに加えて、取出口Ｃａを平面視にて開口Ｔ１とずらすとともに、取出口Ｃａの中心を平面視にて開口Ｔ１の中心よりも開放重心とは反対側にずらすよう構成することが可能であるが、このように構成することで、「ａ≫ｂ」となり、より効果的に薄葉紙収納容器１の持ち上がりを抑制することができる。
【００４４】
開放重心が平面視にて取出口内にあるとともに、薄葉紙を取出口から取り出す際に薄葉紙収納容器にかかる上向きの力が取出口の左端部及び右端部に均等にかかるように構成されている場合、薄葉紙収納容器の左側にも右側にも十分な重量がないため、薄葉紙を取出口から取り出す際に薄葉紙収納容器の全体が持ち上がりやすくなる。
また、薄葉紙を取出口から取り出す際に薄葉紙収納容器にかかる上向きの力が主に取出口の左右一端部（例えば、左端部）にかかるように構成しても、開放重心が平面視にて取出口内にある場合には、薄葉紙収納容器の左右一側（この例の場合、左側）に十分な重量がないため、薄葉紙を取出口から取り出す際に薄葉紙収納容器の左右一側（この例の場合、左側）が持ち上がりやすくなる。
また、開放重心が平面視にて取出口からずれた位置（例えば、左側にずれた位置）にあっても、薄葉紙を取出口から取り出す際に薄葉紙収納容器にかかる上向きの力が主に取出口の開放重心とは反対側の端部（この例の場合、右端部）にかかるように構成されている場合には、薄葉紙収納容器の開放重心とは反対側（この例の場合、右側）には十分な重量がないため、薄葉紙を取出口から取り出す際に薄葉紙収納容器の開放重心とは反対側（この例の場合、右側）が持ち上がりやすくなる。
一方、開放重心が平面視にて取出口からずれた位置（例えば、左側にずれた位置）にあるとともに、薄葉紙を取出口から取り出す際に薄葉紙収納容器にかかる上向きの力が主に取出口の開放重心側の端部（この例の場合、左端部）にかかるように構成されている場合には、薄葉紙収納容器の開放重心側（この例の場合、左側）に十分な重量があるため、薄葉紙を取出口から取り出す際に薄葉紙収納容器が持ち上がりにくくなる。
【００４５】
さらに、取出口Ｃａが、平面視にて包装体Ｔの開口Ｔ１とずれているとともに、取出口Ｃａの中心が、平面視にて包装体Ｔの開口Ｔ１の中心よりも右側（開放重心とは反対側）にずれている場合、取出口Ｃａにおいて最上層の薄葉紙Ｐの左側（開放重心側）が当該薄葉紙Ｐの右側（開放重心とは反対側）よりも大きく屈折し、最上層の薄葉紙Ｐが、取出口Ｃａの左端部（本実施形態の場合、ケース側パッキン１４の左側部分も含む）で左側から強制的に押さえ込まれた状態になるので、取出口Ｃａから突出した部分の直立状態を維持することが可能となる。
ウェットタイプの薄葉紙Ｐは、ドライタイプの薄葉紙Ｐと比較して、取出口Ｃａから突出した部分が倒れやすい。最上層の薄葉紙Ｐの取出口Ｃａから突出した部分が倒れやすいと、取出口Ｃａから突出した部分が収納空間部Ｓ内に落ち込む、取出口Ｃａから突出した部分が上蓋２０の開閉時に上蓋２０に噛み込まれる等の問題が発生しやすくなる。これに対し、取出口Ｃａが、平面視にて包装体Ｔの開口Ｔ１とずれているとともに、取出口Ｃａの中心が、平面視にて包装体Ｔの開口Ｔ１の中心よりも右側（開放重心とは反対側）にずれている場合、最上層の薄葉紙Ｐの取出口Ｃａから突出した部分の直立状態を維持することが可能なので、このような問題の発生を抑制することができ、使い勝手が良い。
【００４６】
また、包装体Ｔの少なくとも一部が、取出口Ｃａを介して外部から視認可能であることが好ましい。
これにより、突出部１４ａで、ケース体Ｃの内側に収納されている薄葉紙積層体Ｑを包む包装体Ｔを上側から押さえることができるので、より効果的に薄葉紙Ｐの不要な飛び出しを抑制することができる。
例えば、図８に示すように、取出口Ｃａが、平面視にて包装体Ｔの開口Ｔ１とずれているとともに、取出口Ｃａの中心が、平面視にて包装体Ｔの開口Ｔ１の中心よりも右側（開放重心とは反対側）にずれている場合、包装体Ｔの少なくとも一部（図８においては、水玉でハッチングした部分）が、取出口Ｃａを介して外部から視認可能となる。
また、取出口Ｃａの中心と開口Ｔ１の中心とが一致していても、開口Ｔ１の左右方向（あるいは、前後方向）の長さが、取出口Ｃａの左右方向（あるいは、前後方向）の長さよりも短ければ、包装体Ｔの少なくとも一部が、取出口Ｃａを介して外部から視認可能となる。すなわち、包装体Ｔの少なくとも一部が取出口Ｃａを介して外部から視認可能とするための構成は、適宜任意に変更可能である。
【００４７】
シャーシ３０は、例えば、図４、図５に示すように、容器本体１０の凹部１３内に収容された状態で容器本体１０の上面部１０ａに固定されており、上蓋２０は、シャーシ３０を介して容器本体１０に取り付けられている。
シャーシ３０は、例えば、図９に示すように、凹部１３の底面部１３ａ上に載置され、取出開口１１を取り囲む枠部３１と、閉塞状態の上蓋２０と略面一となるよう枠部３１に支持される上壁部３２と、を備えて構成される。
本実施形態では、上蓋２０と上壁部３２とを合わせると、平面視にて略楕円形状の板状部材を構成するようになっている。また、上蓋２０及び上壁部３２は、前後方向（短径方向）に下方へ凸となるよう湾曲した形状をなしている。
【００４８】
シャーシ３０の枠部３１（具体的には、枠部３１の連結部３１ｃ（後述））の上面には、例えば、図２、図３、図９に示すように、付勢部材５０の一端と係合する固定側係合部３３が設けられている。
また、上蓋２０の下面のうち前後方向略中央の位置には、例えば、図２、図３、図１０に示すように、付勢部材５０の他端と係合する可動側係合部２２が設けられている。
本実施形態において、薄葉紙収納容器１は、例えば、図９に示すように、付勢部材５０である引張コイルばねを２本備えている。また、シャーシ３０の枠部３１は、固定側係合部３３を２つ備えている。この２つの固定側係合部３３は、上蓋２０とシャーシ３０とが組み合わされた状態で所定の直線（具体的には、左右方向（長径方向）に平行で可動側係合部２２を通る直線）に対して互いに線対称となる位置に配置され、かつ、上蓋２０の閉塞状態における可動側係合部２２との間隔（図２参照）が、上蓋２０の開放状態における可動側係合部２２との間隔（図３参照）よりも長くなるように、枠部３１に設けられている。そして、２本の付勢部材５０のうち一方の一端が、２つの固定側係合部３３のうちの一方に掛止されるとともに、２本の付勢部材５０のうち他方の一端が、２つの固定側係合部３３のうちの他方に掛止され、２本の付勢部材５０の双方の他端が、上蓋２０に設けられた可動側係合部２２に掛止されている。
【００４９】
上蓋２０が右側（すなわち、上壁部３２側）へとスライド移動して開放状態から閉塞状態に移行すると、付勢部材５０の一端に係合する固定側係合部３３と、付勢部材５０の他端に係合する可動側係合部２２と、の間隔が長くなるので、付勢部材５０は左側（すなわち、上壁部３２とは反対側）に付勢された状態になる。すなわち、付勢部材５０は、上蓋２０の閉塞状態において、当該上蓋２０を開放状態となる方向に付勢している。そして、付勢部材５０の付勢力に抗する力が解除されると、付勢部材５０の付勢力によって上蓋２０が左側（すなわち、上壁部３２とは反対側）に引っ張られて、取出口Ｃａが開放される。
【００５０】
また、本実施形態において、可動側係合部２２は、例えば、図４、図５に示すように、固定側係合部３３よりも上側に配置されている。そのため、付勢部材５０は、ケース体Ｃの高さ方向（すなわち、上下方向）に対して斜めに設置、具体的には、可動側係合部２２と係合する他端が、固定側係合部３３と係合する一端よりも上側に配置された状態で設置されている。したがって、付勢部材５０は、上蓋２０の閉塞状態において、当該上蓋２０を開放状態となる方向に付勢するだけでなく、当該上蓋２０を下方向（すなわち、当該上蓋２０をケース体Ｃに押し付ける方向）にも付勢するので、気密手段（本実施形態の場合、ケース側パッキン１４及び蓋側パッキン２１）によって取出口Ｃａの周縁と上蓋２０との隙間がしっかりと封止されることとなって、収納空間部Ｓの気密性が向上する。
【００５１】
従来、薄葉紙を収納するためのケース体の上面に、その開放端を上下方向に回動させることで開閉を行う蓋体を設けた薄葉紙収納容器として、蓋体の開放動作を行いやすくするために、蓋体を開く方向に付勢する付勢部材（エラストマー等により形成されたヒンジ、ねじりコイルばねなど）を備えたものが知られている。このような薄葉紙収納容器において、付勢部材は、蓋体を開放状態となる方向に付勢、すなわち、蓋体を閉塞状態とは反対方向に付勢しているので、気密性を持たせることが困難であった。これに対し、本実施形態では、左右方向にスライド移動することで開閉を行う蓋体（上蓋２０）を設け、可動側係合部２２を固定側係合部３３よりも上側に配置して付勢部材５０をケース体の高さ方向に対して斜めに設置することで、蓋体（上蓋２０）を開放状態となる方向だけでなく、ケース体に押し付ける方向にも付勢するように構成したので、収納空間部Ｓの気密性が向上する。これにより、薄葉紙収納容器１に収納する薄葉紙Ｐが、本実施形態のようにウェットタイプの薄葉紙Ｐである場合には、薄葉紙Ｐに含浸した薬液の蒸発を確実に防止できるようになっている。
【００５２】
付勢部材５０は、伸縮部材により構成され、シャーシ３０の固定側係合部３３が、ケース体Ｃ（本実施形態の場合、シャーシ３０）に設けられ付勢部材５０の一端と係合する固定点として機能し、上蓋２０の可動側係合部２２が、上蓋２０に設けられ付勢部材５０の他端と係合する可動点として機能する。
そして、付勢部材５０、シャーシ３０の固定側係合部３３及び上蓋２０の可動側係合部２２が、上蓋２０を開放状態となる方向にスライド移動させる可動機構として機能する。
なお、本実施形態では、固定側係合部３３（固定点）をシャーシ３０に設けたが、これに限ることはなく、固定側係合部３３（固定点）は、容器本体１０に設けても良い。
【００５３】
また、本実施形態では、付勢部材５０、シャーシ３０の固定側係合部３３及び上蓋２０の可動側係合部２２は、上蓋２０が、開放状態である場合も、閉塞状態である場合も、開放状態から閉塞状態に移行する途中の状態である場合も、閉塞状態から開放状態に移行する途中の状態である場合も、凹部１３内に配置された状態で上蓋２０に上方から覆われているので、薄葉紙収納容器１の外部から視認することができない。
すなわち、上蓋２０は、当該上蓋２０の状態にかかわらず、外部から視認不能に付勢部材５０、シャーシ３０の固定側係合部３３及び上蓋２０の可動側係合部２２を遮蔽している。これにより、薄葉紙収納容器１の美観が向上するとともに、付勢部材５０、シャーシ３０の固定側係合部３３及び上蓋２０の可動側係合部２２が触られることを防止できるようになっている。
【００５４】
さらに、本実施形態では、凹部１３の底面部１３ａが、容器本体１０の内側（収納空間部Ｓ側）から視認不能に付勢部材５０、シャーシ３０の固定側係合部３３及び上蓋２０の可動側係合部２２を遮蔽しているので、付勢部材５０、シャーシ３０の固定側係合部３３及び上蓋２０の可動側係合部２２が、容器本体１０の内側から触られることも防止できるようになっている。
【００５５】
上蓋２０の右端部（すなわち、上壁部３２側の端部）には、例えば、図４、図５に示すように、下側に向けて突出する爪部２３が設けられている。
また、シャーシ３０には、上壁部３２の一部を操作面３４ａとしたスイッチ部３４が設けられている。スイッチ部３４は、前後方向に沿って延設された軸部３４ｂを回動軸として回動可能に構成されており、左端側（すなわち、上蓋２０側）に爪部２３が上方から進入して係合する爪受部３４ｃを有している。また、スイッチ部３４は、図示しない付勢手段によって、押圧されて回動する方向とは逆方向に付勢されている。
【００５６】
上蓋２０が開放状態である際に、付勢部材５０の付勢力に抗する力を作用させて上蓋２０を右側（すなわち、上壁部３２側）へとスライド移動させると、まず、上蓋２０の爪部２３がスイッチ部３４の爪受部３４ｃに当接する。さらに上蓋２０を右側へとスライド移動させると、爪受部３４ｃが爪部２３に押されてスイッチ部３４の付勢手段の付勢力に抗する力が作用し、爪受部３４ｃが下側へと移動するようにスイッチ部３４が回動する。そして、上蓋２０が閉塞状態になってスイッチ部３４の付勢手段の付勢力に抗する力が解除されると、スイッチ部３４の付勢手段の付勢力によって爪受部３４ｃがもとの位置に戻るよう（すなわち、操作面３４ａが上壁部３２の表面と略面一の状態となるよう）にスイッチ部３４が回動して、爪部２３と爪受部３４ｃとが係合する。これにより、上蓋２０の閉塞状態を維持できるようになっている。
【００５７】
また、爪部２３と爪受部３４ｃとが係合している際に、スイッチ部３４の操作面３４ａが押圧されてスイッチ部３４の付勢手段の付勢力に抗する力が作用すると、爪受部３４ｃが下側へと移動するようにスイッチ部３４が回動する。そして、スイッチ部３４の回動に伴い爪部２３と爪受部３４ｃとの係合が解除されると、付勢部材５０の付勢力によって上蓋２０が左側（すなわち、上壁部３２とは反対側）へとスライド移動して開放状態になる。
すなわち、上蓋２０に設けられた爪部２３と、シャーシ３０に設けられ爪部２３と係合する爪受部３４ｃとが、付勢部材５０の付勢力に抗して上蓋２０が閉塞状態となるように係止するとともに、当該係止を解除可能な係止手段として機能する。
なお、本実施形態では、係止手段による係止を解除する際に押圧されるスイッチ部３４をシャーシ３０に設けたが、これに限ることはなく、スイッチ部３４は、容器本体１０に設けても良い。
【００５８】
本実施形態においては、シャーシ３０の枠部３１の一部が、上蓋２０を直線的にスライド移動するようガイドするレール部３１ａになっている。具体的には、例えば、図９に示すように、シャーシ３０の枠部３１は、左右方向に沿って延設され、前後方向に並ぶレール部３１ａ，３１ａと、レール部３１ａ，３１ａの右端部（すなわち、上蓋２０の閉塞状態となる方向側の端部）同士を連結するとともに上壁部３２を支持する支持部３１ｂと、レール部３１ａ，３１ａの左端部（すなわち、上蓋２０の開放状態となる方向側の端部）同士を連結する連結部３１ｃと、からなる。
また、例えば、図１０に示すように、上蓋２０には、レール部３１ａに対してスライド移動可能に係合するスライド部２４が設けられている。スライド部２４は、例えば、上蓋２０とシャーシ３０とが組み合わされた状態で、レール部３１ａに設けられた横溝部に挿入可能となるように、上蓋２０の下面から垂下する垂壁部（図示省略）の下端に接続されている。
これにより、上蓋２０をスムーズかつ確実に開閉できるようになっている。
なお、本実施形態では、上蓋２０のスライド移動をガイドするためのレール部３１ａをシャーシ３０に設けたが、これに限ることはなく、レール部３１ａは、容器本体１０に設けても良い。
【００５９】
スライド部２４の左端部（すなわち、上蓋２０の開放状態となる方向側の端部）には、例えば、図１０に示すように、上蓋２０が開放状態となる際の衝撃を吸収するダンパー２４ａが設けられている。
また、容器本体１０の凹部１３の周縁のうち、上蓋２０の閉塞状態においてスライド部２４の左端側（ダンパー２４ａを含む）に対応する位置には、例えば、図８に示すように、上蓋２０が閉塞状態から開放状態へと移行する際にスライド部２４が入り込む横穴部１５が形成されており、上蓋２０の開放状態において、横穴部１５内でスライド部２４のダンパー２４ａが容器本体１０に当接するように構成されている。すなわち、スライド部２４が容器本体１０に衝突することによって、付勢部材５０の付勢力による上蓋２０のスライド移動が停止するように構成されており、当該衝突の際の衝撃を、ダンパー２４ａによって吸収できるようになっている。
なお、本実施形態では、撓むことで衝撃を吸収できるようにダンパー２４ａを左方へ凸となるよう内側から外側に向けて湾曲した弓状に形成したが、これに限ることはなく、ダンパー２４ａの形状は、上蓋２０が開放状態となる際の衝撃を吸収できるのであれば、適宜任意に変更可能である。
【００６０】
上蓋２０には、例えば、図４、図５に示すように、上蓋２０を閉める際等に指を掛けるための可動側指掛部２５が設けられている。具体的には、上蓋２０には、可動側指掛部２５として、当該上蓋２０の右端部（すなわち、上蓋２０の閉塞状態となる方向側の端部）を上側に向けて起立させることによって形成された突起部が設けられている。また、上蓋２０には、可動側指掛部２５に掛けた指を載置するための指載置部２６として、当該上蓋２０の上面を下側に向けて窪ませることによって形成された凹部が設けられている。
また、ケース体Ｃ（本実施形態の場合、シャーシ３０）のうち係止手段（本実施形態の場合、爪受部３４ｃ）よりも右側（すなわち、上蓋２０の閉塞状態となる方向側）には、上蓋２０を閉める際等に指を掛けるための不動側指掛部３５が設けられている。具体的には、シャーシ３０には、不動側指掛部３５として、シャーシ３０の端部（本実施形態の場合、上壁部３２の右端部）を上側に向けて起立させることにより形成された突起部が設けられている。
【００６１】
すなわち、可動側指掛部２５の左側（すなわち、不動側指掛部３５とは反対側）に指を掛けて上蓋２０を閉める際に、不動側指掛部３５の右側（すなわち、可動側指掛部２５とは反対側）に指を掛けて容器本体１０に左方向の力（上蓋２０に作用させる力とは逆方向の力）を作用させて容器本体１０が滑らないように容器本体１０を固定しておくことができるように構成されている。これにより、片手で上蓋２０を閉めることができるようになっている。
また、本実施形態の場合、不動側指掛部３５は、スイッチ部３４に離間してケース体Ｃ（本実施形態の場合、シャーシ３０）に設けられている。これにより、不動側指掛部３５に掛けた指でスイッチ部３４を誤操作してしまうことを防止できるようになっている。
なお、本実施形態では、不動側指掛部３５をシャーシ３０に設けたが、これに限ることはなく、不動側指掛部３５は、容器本体１０に設けても良い。
【００６２】
上蓋２０の下面には、例えば、図４、図５に示すように、先端が左側（すなわち、上蓋２０の開放状態となる方向側）を向くよう前後方向の側面視略逆Ｌ字状に突出する突片部２７が設けられている。
また、容器本体１０の凹部１３の周縁のうち、上蓋２０の閉塞状態において突片部２７の先端側（ダンパー２７ａ（後述）を含む）に対応する位置には、例えば、図８に示すように、上蓋２０が閉塞状態から開放状態へと移行する際に突片部２７が入り込む横穴部１６が形成されており、上蓋２０が開放状態になると、上蓋２０の突片部２７の先端側が容器本体１０の横穴部１６に入り込んで、突片部２７の上下方向の移動が規制されるように構成されている。これにより、上蓋２０の開放状態において、上蓋２０の左端側が上方向へと移動して上蓋２０が起き上がってしまうことを防止できるようになっている。
【００６３】
突片部２７の先端部には、例えば、図４、図５に示すように、上蓋２０が開放状態となる際の衝撃を吸収するダンパー２７ａが設けられており、上蓋２０の開放状態において、横穴部１６内で突片部２７のダンパー２７ａが容器本体１０に当接するように構成されている。すなわち、突片部２７が容器本体１０に衝突することによっても、付勢部材５０の付勢力による上蓋２０のスライド移動が停止するように構成されており、当該衝突の際の衝撃を、ダンパー２７ａによって吸収できるようになっている。
【００６４】
なお、本実施形態では、撓むことで衝撃を吸収できるようにダンパー２７ａを左方へ凸となるよう上側から下側に向けて湾曲した弓状に形成したが、これに限ることはなく、ダンパー２７ａの形状は、上蓋２０が開放状態となる際の衝撃を吸収できるのであれば、適宜任意に変更可能である。
また、本実施形態では、突片部２７にダンパー２７ａを設けてスライド部２４にダンパー２４ａを設けた、すなわち、突片部２７とスライド部２４との双方にダンパーを設けたが、これに限ることはなく、ダンパーによって上蓋２０が開放状態となる際の衝撃を吸収すること（衝撃を緩めること）ができるのであれば、例えば、突片部２７だけにダンパーを設けても良いし、スライド部２４だけにダンパーを設けても良いし、突片部２７及びスライド部２４以外の部分にダンパーを設けても良い。また、ダンパーは、上蓋２０側ではなく、ケース体Ｃ側に設けても良いし、上蓋２０側とケース体Ｃ側との双方に設けても良い。突片部２７にダンパーを設けない場合は、上蓋２０の開放状態において、突片部２７が横穴部１６内で容器本体１０に当接しないように構成されていることが好ましい。また、スライド部２４にダンパーを設けない場合は、上蓋２０の開放状態において、スライド部２４が横穴部１５内で容器本体１０に当接しないように構成されていることが好ましい。
【００６５】
なお、本実施形態では、スライド部２４の左端側が入り込む横穴部１５の上方が上面部１０ａによって塞がれるように構成したが、これに限ることはなく、横穴部１５は上方に開口していてもよい。
また、突片部２７は、上蓋２０が起き上がってしまうことを防止するために設けられているが、本実施形態のように、スライド部２４の左端側が入り込む横穴部１５の上方が上面部１０ａによって塞がれている場合には、スライド部２４によって、上蓋２０が起き上がってしまうことを防止することができる。具体的には、この場合には、上蓋２０が開放状態になると、上蓋２０のスライド部２４の左端側が容器本体１０の横穴部１５に入り込んで、スライド部２４の上下方向の移動が規制され、上蓋２０が起き上がってしまうことを防止することができるので、突片部２７を設けなくてもよい。
【００６６】
以下、具体的な実施例によって本発明を説明するが、発明はこれらに限定されるものではない。
【００６７】
＜実施例＞
取出開口に、図６に示すようなケース側パッキン１４、具体的には、ＬＤＰＥで形成されており、取出口Ｃａの大きさが２１ｍｍ×４４ｍｍであり、基端の幅Ｗ１が６ｍｍ、幅広部分の幅Ｗ２が７ｍｍ、基端から先端までの長さＷ３が７ｍｍである延出部１４ｂを有するケース側パッキン１４が装着された薄葉紙収納容器（以下「実施例の薄葉紙収納容器」という）を用意した。
そして、実施例の薄葉紙収納容器に、包装体Ｔで包まれた薄葉紙積層体Ｑ（４５枚入り）を収納した。
【００６８】
＜比較例＞
取出開口に、図１２（ａ）に示すようなケース側パッキン、具体的には、ＬＤＰＥで形成されており、取出口の大きさが２１ｍｍ×４４ｍｍであり、基端の幅が最も広く、その基端の幅が１６ｍｍ、基端から先端までの長さが７ｍｍである延出部を有するケース側パッキンが装着された薄葉紙収納容器（以下「比較例の薄葉紙収納容器」という）を用意した。
そして、比較例の薄葉紙収納容器に、包装体Ｔで包まれた薄葉紙積層体Ｑ（４５枚入り）を収納した。
【００６９】
＜評価＞
そして、実施例の薄葉紙収納容器におけるポップアップ性の評価を行った。
具体的には、薄葉紙Ｐを取出口Ｃａから真上に１枚ずつ取り出す動作を４４回行い、薄葉紙収納容器の持ち上がり回数と薄葉紙の連なり回数をカウントした。また、薄葉紙Ｐを１枚取り出した際の次層の薄葉紙Ｐの飛び出し長さ（取出口から突出した部分の長さ）を測定し、その平均も算出した。その結果（Ｎ数（サンプル数）＝４）を、図１１に示す。
また、比較例の薄葉紙収納容器においても同様の方法で、ポップアップ性の評価を行った。その結果（Ｎ数＝３）を、図１１に示す。
【００７０】
図１１に示すように、比較例の薄葉紙収納容器において、次層のシート（薄葉紙）の飛び出し長さの平均は、４５．５ｍｍであった。
これに対し、実施例の薄葉紙収納容器において、次層のシート（薄葉紙）の飛び出し長さの平均は、３６．９ｍｍであった。
これにより、ケース側パッキンの延出部に基端よりも幅が広い幅広部分を設けることで、シート（薄葉紙）の飛び出し長さを抑制できることが分かった。
【００７１】
また、比較例の薄葉紙収納容器においては、４４回の取り出し動作のうち６．７回の取り出し動作で当該薄葉紙収納容器が持ち上がった。
これに対し、実施例の薄葉紙収納容器においては、４４回の取り出し動作のうち５．５回の取り出し動作で当該薄葉紙収納容器が持ち上がった。
これにより、ケース側パッキンの延出部に基端よりも幅が広い幅広部分を設けることで、容器の持ち上がりを抑制できることが分かった。
【００７２】
また、比較例の薄葉紙収納容器においては、４４回の取り出し動作のうち１．３回の取り出し動作で次層のシート（薄葉紙）が連なって出てきた。
これに対し、実施例の薄葉紙収納容器においては、４４回の取り出し動作のうち０．３回の取り出し動作で次層のシート（薄葉紙）が連なって出てきた。
これにより、ケース側パッキンの延出部に基端よりも幅が広い幅広部分を設けることで、シート（薄葉紙）の連なりを抑制できることが分かった。
【００７３】
以上説明した本実施形態の薄葉紙収納容器１によれば、上面に取出口Ｃａを有し、内側に薄葉紙Ｐが積層された薄葉紙積層体Ｑを収納するケース体Ｃを備え、ケース体Ｃには、取出口Ｃａを塞ぐ方向側に向けて延出する延出部１４ｂが設けられ、延出部１４ｂは、基端よりも幅が広い幅広部分を有している。
したがって、取出口Ｃａから取り出す薄葉紙Ｐが、延出部１４ｂの基端付近に入り込みやすく挟まれやすくなるので、取出口Ｃａから取り出す薄葉紙Ｐに付与する抵抗を増加させることができ、薄葉紙Ｐの不要な飛び出しを抑制することが可能となる。
これにより、薄葉紙Ｐの飛び出し長さ（取出口Ｃａから突出した部分の長さ）が必要以上に長くなってしまうことを抑制することができるので、上蓋２０を閉める際に、薄葉紙Ｐが上蓋２０と上壁部３２との間に挟まって、上蓋２０が閉めづらくなる等の問題を解消することが可能となる。
また、複数枚の薄葉紙が連なって引き出されてしまうことを抑制することができるので、無駄に多くの薄葉紙を取り出してしまう等の問題を解消することができる。
【００７４】
また、以上説明した本実施形態の薄葉紙収納容器１によれば、延出部１４ｂは、基端から幅広部分に向けて最低でも３ｍｍ以上直線的に徐々に幅が広くなるような形状に形成されおり、取出口Ｃａの縁部と延出部１４ｂの側面とのなす角度は７０度から８５であることが好ましい。
この場合、取出口Ｃａから取り出す薄葉紙Ｐが、延出部１４ｂの基端付近に確実に挟まれるので、薄葉紙Ｐの不要な飛び出しを十分に抑制することができる。
【００７５】
具体的には、以上説明した本実施形態の薄葉紙収納容器１によれば、取出口Ｃａは、短手方向の長さが１８ｍｍから２４ｍｍ、長手方向の長さが４０ｍｍから５０ｍｍの略長方形状に形成されており、延出部１４ｂの基端の幅Ｗ１は、４ｍｍから９ｍｍであり、延出部１４ｂの幅広部分の幅Ｗ２は、５ｍｍから１０ｍｍであり、延出部１４ｂの基端から先端までの長さＷ３は、６ｍｍから９ｍｍであることが好ましい。
この場合、薄葉紙Ｐの不要な飛び出しを十分に抑制することができる。
【００７６】
また、以上説明した本実施形態の薄葉紙収納容器１によれば、取出口Ｃａが、短手方向の長さが１８ｍｍから２４ｍｍ、長手方向の長さが４０ｍｍから５０ｍｍの略長方形状に形成されている場合に、取出口Ｃａの平面視における面積は、延出部１４ｂの平面視における面積の１０倍から３６倍であることが好ましい。
この場合、取出口Ｃａに指が入れやすいので、未使用の薄葉紙積層体Ｑから薄葉紙Ｐを引き出す場合や、薄葉紙Ｐのうち取出口Ｃａからの突出部分が収納空間部Ｓ内に落ち込んでしまった場合に、薄葉紙Ｐの端部を取出口Ｃａよりも突出する位置まで楽に引き出すことができる。
【００７７】
また、以上説明した本実施形態の薄葉紙収納容器１によれば、延出部１４ｂの先端から、ケース体Ｃのうち当該先端と対向する部分までの長さＷ４は、１３ｍｍから１７ｍｍであることが好ましい。
この場合、取出口Ｃａに指が入れやすいので、未使用の薄葉紙積層体Ｑから薄葉紙Ｐを引き出す場合や、薄葉紙Ｐのうち取出口Ｃａからの突出部分が収納空間部Ｓ内に落ち込んでしまった場合に、薄葉紙Ｐの端部を取出口Ｃａよりも突出する位置まで楽に引き出すことができる。
【００７８】
また、以上説明した本実施形態の薄葉紙収納容器１によれば、取出口Ｃａを開閉させる蓋体としての上蓋２０を備え、取出口Ｃａは、平面視にて開放重心（上蓋２０の開放状態時における当該薄葉紙収納容器１自体の重心）からずれた位置に設けられ、延出部１４ｂによって、取出口Ｃａから取り出す薄葉紙Ｐの開放重心側に、当該薄葉紙Ｐの開放重心とは反対側よりも大きな抵抗を付与することができるよう構成されていることが好ましい。
この場合、取出口Ｃａから薄葉紙Ｐを引き出す際、薄葉紙Ｐからの抵抗が薄葉紙収納容器１の開放重心側に付与されることとなり、バランスがとれるので、薄葉紙Ｐを取出口Ｃａから取り出す際における薄葉紙収納容器１の持ち上がりを効果的に抑制することができる。
【００７９】
また、以上説明した本実施形態の薄葉紙収納容器１によれば、ケース体Ｃには、当該ケース体Ｃの内側に収納されている薄葉紙積層体Ｑを下側へと押さえる突出部１４ａが設けられている。
ケース体Ｃに突出部１４ａを設けることによって、ケース体Ｃの内側に収納されている薄葉紙積層体Ｑを下側へと押さえることができるので、より効果的に薄葉紙Ｐの不要な飛び出しを抑制することができる。
【００８０】
また、以上説明した本実施形態の薄葉紙収納容器１によれば、突出部１４ａには、指が挿入可能な切欠部としての指挿入用切欠部１４ｄが形成されていることが好ましい。
突出部１４ａに指挿入用切欠部１４ｄを設けることによって、突出部１４ａに邪魔されることなく取出口Ｃａから収納空間部Ｓ内に指を入れることができるので、例えば、未使用の薄葉紙積層体Ｑから薄葉紙Ｐを引き出す場合や、薄葉紙Ｐのうち取出口Ｃａからの突出部分が収納空間部Ｓ内に落ち込んでしまった場合に、薄葉紙Ｐの端部を取出口Ｃａよりも突出する位置まで楽に引き出すことができる。
【００８１】
また、以上説明した本実施形態の薄葉紙収納容器１によれば、薄葉紙積層体Ｑは、薄葉紙Ｐを取り出すための開口Ｔ１が設けられた包装体Ｔによって内包されており、包装体Ｔは、少なくとも一部が、取出口Ｃａを介して視認可能であることが好ましい。
この場合、取出口Ｃａの周縁部（本実施形態の場合、取出開口１１の周縁部に取り付けられたケース側パッキン１４の突出部１４ａ）で、ケース体Ｃの内側に収納されている薄葉紙積層体Ｑを包む包装体Ｔを上側から押さえることができるので、より効果的に薄葉紙Ｐの不要な飛び出しを抑制することができる。
【００８２】
また、以上説明した本実施形態の薄葉紙収納容器１によれば、上面に取出口Ｃａを有し、内側に薄葉紙Ｐを収納するケース体Ｃと、取出口Ｃａを開閉させる上蓋２０（蓋体）と、を備える薄葉紙収納容器１において、取出口Ｃａは、平面視にて開放重心（上蓋２０の開放状態時における当該薄葉紙収納容器１自体の重心）からずれた位置に設けられ、当該薄葉紙収納容器１のうち取出口Ｃａの中心よりも開放重心側の部分の荷重を「Ａ」、取出口Ｃａの中心よりも開放重心とは反対側の部分の荷重を「Ｂ」、取出口Ｃａから取り出す薄葉紙Ｐの開放重心側に付与される抵抗力を「ａ」、当該薄葉紙Ｐの開放重心とは反対側に付与される抵抗力を「ｂ」とした場合、下記の（１）〜（３）の全てを満たすように構成されていることが好ましい。
（１）Ａ＞Ｂ、
（２）ａ＜Ａ及びｂ＜Ｂ、
（３）ａ＞ｂ
この場合、薄葉紙Ｐを取出口Ｃａから取り出す際に薄葉紙収納容器１にかかる上向きの力は、主に薄葉紙収納容器１の開放重心側（本実施形態の場合、左側）にかかるが、薄葉紙収納容器１の開放重心側の重量によって、薄葉紙Ｐを取出口Ｃａから取り出す際における薄葉紙収納容器１の持ち上がりを抑制することができる。
【００８３】
なお、取出口Ｃａが、平面視にて少なくとも上蓋２０の開放状態時における薄葉紙収納容器１自体の重心からずれた位置に設けられるのであれば、例えば、取出口Ｃａは、平面視にて上蓋２０の閉塞状態時における薄葉紙収納容器１自体の重心からもずれた位置に設けられるように構成することも可能である。
【００８４】
また、以上説明した本実施形態の薄葉紙収納容器１によれば、取出口Ｃａの周縁部に装着されたケース側パッキン１４（枠部材）を備え、ケース側パッキン１４によって、取出口Ｃａから取り出す薄葉紙Ｐの開放重心側（本実施形態の場合、左側）に、当該薄葉紙Ｐの開放重心とは反対側（本実施形態の場合、右側）よりも大きな抵抗を付与することができる。
具体的には、ケース側パッキン１４の下端部の開放重心とは反対側には、取出口Ｃａから取り出す薄葉紙Ｐの開放重心とは反対側に付与する抵抗を減少させるための抵抗減少用切欠部１４ｃが設けられている。
また、ケース側パッキン１４の開放重心側には、取出口Ｃａから取り出す薄葉紙Ｐの開放重心側に付与する抵抗を増加させるために、取出口Ｃａを塞ぐ方向側に向けて延出する延出部１４ｂが設けられている。
したがって、収納空間部Ｓを気密状態とするためのケース側パッキン１４によって、薄葉紙Ｐを取り出す際の薄葉紙収納容器１の持ち上がりを抑制することができるので、部品点数を増やすことなく、新たな機能を追加することができる。
【００８５】
なお、本実施形態では、ケース側パッキン１４の下端部に延出部１４ｂを設けたが、これに限ることはなく、例えば、ケース側パッキン１４の下端部以外の部分に延出部１４ｂを設けるように構成することも可能である。ケース側パッキン１４の下端部に延出部１４ｂを設けた場合、下端部以外の部分に延出部１４ｂを設けるよりも、取出口Ｃａから取り出す薄葉紙Ｐの開放重心側に付与する抵抗を効率よく増加させることができる。
【００８６】
また、以上説明した本実施形態の薄葉紙収納容器１によれば、薄葉紙Ｐは、当該薄葉紙Ｐを取り出すための開口Ｔ１が設けられた包装体Ｔによって内包されており、取出口Ｃａを、平面視にて開口Ｔ１とずらすとともに、取出口Ｃａの中心を、平面視にて開口Ｔ１の中心よりも開放重心とは反対側にずらすことによって、取出口Ｃａから取り出す薄葉紙Ｐの開放重心側（本実施形態の場合、左側）に、当該薄葉紙Ｐの開放重心とは反対側（本実施形態の場合、右側）よりも大きな抵抗を付与することができるよう構成されていることが好ましい。
この場合、開口Ｔ１に対する取出口Ｃａの位置及び大きさによって、薄葉紙Ｐを取り出す際の薄葉紙収納容器１の持ち上がりを抑制することができるので、部品点数を増やすことなく、新たな機能を追加することができる。
ここで、「取出口Ｃａを、平面視にて開口Ｔ１とずらす」とは、取出口Ｃａの少なくとも一部が平面視にて開口Ｔ１と重ならないことをいう。
【００８７】
なお、本実施形態では、平面視にて取出口Ｃａの中心と容器本体１０の中心とが一致しないように構成したが、これに限ることはなく、例えば、平面視にて取出口Ｃａの中心と容器本体１０の中心とが一致するように構成することも可能である。
【００８８】
また、以上説明した本実施形態の薄葉紙収納容器１によれば、上蓋２０は、ケース体Ｃに対して開放重心側にスライド移動することで取出口Ｃａを開閉させるように構成されている。
したがって、上蓋２０の開放状態となる方向へのスライド移動によって、薄葉紙収納容器１自体の重心が平面視にて取出口Ｃａからずれるので、部品点数を増やすことなく、新たな機能を追加することができる。
【００８９】
なお、本実施形態では、上蓋２０の重さによって、上蓋２０の開放状態時における薄葉紙収納容器１自体の重心が、平面視にて取出口Ｃａからずれた位置に設けられるよう構成したが、これに限ることはなく、例えば、上蓋２０の開放状態時における薄葉紙収納容器１自体の重心を平面視にて取出口Ｃａからずれた位置に設けるための部材（おもり等）を、別途設けることも可能である。
【００９０】
また、以上説明した本実施形態の薄葉紙収納容器１によれば、上面に取出口Ｃａを有し、内側に薄葉紙Ｐを収納するケース体Ｃと、ケース体Ｃに対してスライド移動することで取出口Ｃａを開閉させる蓋体としての上蓋２０と、上蓋２０を開放状態となる方向に付勢する付勢部材５０を有し、当該上蓋２０を開放状態となる方向にスライド移動させる可動機構（付勢部材５０、固定側係合部３３及び可動側係合部２２）と、付勢部材５０の付勢力に抗して上蓋２０が閉塞状態となるように係止するとともに、当該係止を解除可能な係止手段（爪部２３及び爪受部３４ｃ）と、を備えている。
すなわち、係止手段（爪部２３及び爪受部３４ｃ）による係止を解除すると、付勢部材５０の付勢力によって、取出口Ｃａを閉塞していた上蓋２０がスライド移動して開放状態となり、取出口Ｃａが開放されることとなる。
したがって、係止手段（爪部２３及び爪受部３４ｃ）による係止を解除するだけで付勢部材５０の付勢力によって自動的に上蓋２０が開くので、上蓋２０の開放動作が行いやすく、利便性が高い。
【００９１】
具体的には、本実施形態において、付勢部材５０は、伸縮部材により構成され、可動機構は、ケース体Ｃ（本実施形態の場合、シャーシ３０）に設けられ付勢部材５０の一端と係合する固定点としての固定側係合部３３と、上蓋２０に設けられ付勢部材５０の他端と係合する可動点としての可動側係合部２２と、を備えている。
なお、薄葉紙収納容器１に備える付勢部材５０の個数（本数）は、２つ（２本）に限ることはなく、適宜任意に変更可能であり、１つ（１本）であっても良いし、３つ（３本）以上あってもよい。また、固定側係合部３３や可動側係合部２２の個数は、付勢部材５０の個数に応じて、適宜任意に変更可能である。
また、本実施形態では、上蓋２０が、ケース体Ｃの外側でスライド移動するように構成したが、これに限ることはなく、上蓋２０が、ケース体Ｃの内側でスライド移動して、上蓋２０の開放状態において上蓋２０の大部分（例えば、可動側指掛部２５を除く部分）がケース体Ｃ内に収まるように構成することも可能である。
【００９２】
また、以上説明した本実施形態の薄葉紙収納容器１によれば、可動側係合部２２は、固定側係合部３３よりも上側に配置されている。
すなわち、付勢部材５０は、ケース体Ｃの高さ方向に対して斜めに設置されているので、上蓋２０を開放状態となる方向だけでなく、上蓋２０をケース体Ｃに押し付ける方向にも付勢することができる。したがって、薄葉紙収納容器１の気密性が向上するので、薄葉紙収納容器１に収納する薄葉紙Ｐが、ウェットタイプの薄葉紙Ｐである場合には、薄葉紙Ｐに含浸した薬液の蒸発を防止できる。
【００９３】
また、以上説明した本実施形態の薄葉紙収納容器１によれば、上蓋２０は、当該上蓋２０の状態にかかわらず、外部から視認不能に付勢部材５０を遮蔽している。
したがって、薄葉紙収納容器１の美観が向上する。
また、付勢部材５０が触られることを防止することができるので、付勢部材５０に汚れが付きにくく、付勢部材５０に指等が挟まる心配もなく、衛生的に安全に使用することができるとともに、付勢部材５０が、取り外されてしまったり、取り外されて誤飲されてしまったりすることを防止することができる。
【００９４】
また、以上説明した本実施形態の薄葉紙収納容器１によれば、上蓋２０が開放状態となる際の衝撃を吸収するダンパー２４ａ，２７ａを備えている。
すなわち、上蓋２０は付勢部材５０の付勢力によって自動的に開くが、その際の衝撃がダンパー２４ａ，２７ａによって吸収されるので、上蓋２０が開放状態となる際の衝撃に伴う上蓋２０やケース体Ｃ（本実施形態の場合、主に容器本体１０）の磨耗を抑制したり、上蓋２０が開放状態となる際に生じる衝突音を軽減したりすることができる。
【００９５】
また、以上説明した本実施形態の薄葉紙収納容器１によれば、ケース体Ｃ（本実施形態の場合、シャーシ３０）には、上蓋２０のスライド移動をガイドするためのレール部３１ａが設けられ、上蓋２０には、レール部３１ａに対してスライド移動可能に係合するスライド部２４が設けられている。
すなわち、上蓋２０はスライド移動することによって取出口Ｃａを開閉させるが、そのスライド移動がレール部３１ａによってガイドされるので、上蓋２０をスムーズかつ確実に開閉することができる。
【００９６】
また、以上説明した本実施形態の薄葉紙収納容器１によれば、上面に取出口Ｃａを有し、内側に薄葉紙Ｐを収納するケース体Ｃと、ケース体Ｃに対してスライド移動することで取出口Ｃａを開閉させる蓋体としての上蓋２０と、上蓋２０が閉塞状態となるように係止するとともに、当該係止を解除可能な係止手段（爪部２３及び爪受部３４ｃ）と、を備え、上蓋２０には、可動側指掛部２５が設けられ、ケース体Ｃ（本実施形態の場合、シャーシ３０）のうち係止手段（本実施形態の場合、爪受部３４ｃ）よりも上蓋２０の閉塞状態となる方向側には、不動側指掛部３５が設けられている。
すなわち、可動側指掛部２５に指を掛けて上蓋２０に閉塞状態となる方向（本実施形態の場合、右方向）の力を加えることができるだけでなく、上蓋２０を閉める際に、閉塞状態となる方向の力が上蓋２０だけでなくケース体Ｃに加わってしまっても、不動側指掛部３５に指を掛けてケース体Ｃに逆方向の力を作用させてケース体Ｃを固定しておくことができるので、ケース体Ｃが滑ってしまうことがない。
したがって、片手で上蓋２０を閉めることができ、上蓋２０の閉塞動作が行いやすい。
【００９７】
特に、本実施形態の場合、上蓋２０を開放状態となる方向に付勢する付勢部材５０を備えているので、上蓋２０を閉める際に、上蓋２０の閉塞状態となる方向の力として、付勢部材５０の付勢力に抗する力を上蓋２０に加えることとなる。その際に、付勢部材５０の付勢力によって、付勢部材５０の付勢力に抗する力と同じ方向の力がケース体Ｃに加わるので、ケース体Ｃは上蓋２０の閉塞状態となる方向側に滑りやすいが、不動側指掛部３５を設けることで、ケース体Ｃが滑らないように、不動側指掛部３５に指を掛けてケース体Ｃを固定しておくことができる。
なお、本実施形態では、薄葉紙収納容器１に上蓋２０を開放状態となる方向に付勢する付勢部材５０を設けたが、これに限ることはなく、薄葉紙収納容器１に付勢部材５０を設けなくてもよい。薄葉紙収納容器１に付勢部材５０を設けない場合には、可動側指掛部２５と不動側指掛部３５との双方に指を掛けて上蓋２０を開閉することができる。したがって、片手で上蓋２０を開閉することができ、上蓋２０の開閉動作が行いやすい。
【００９８】
また、以上説明した本実施形態の薄葉紙収納容器１によれば、ケース体Ｃ（本実施形態の場合、シャーシ３０）は、係止手段（爪部２３及び爪受部３４ｃ）による係止を解除する際に押圧されるスイッチ部３４を備え、不動側指掛部３５は、スイッチ部３４に離間してケース体Ｃ（本実施形態の場合、シャーシ３０）に設けられた突起部である。
具体的には、本実施形態において、ケース体Ｃは、容器本体１０と、当該容器本体１０の上面に固定されるシャーシ３０と、当該容器本体１０の上面に装着されるケース側パッキン１４と、を備え、上蓋２０は、シャーシ３０に取り付けられ、不動側指掛部３５は、シャーシ３０の端部（本実施形態の場合、上壁部３２の右端部）を上側に向けて起立させることにより形成された突起部である。
したがって、不動側指掛部３５がスイッチ部３４に離間して設けられているので、不動側指掛部３５に掛けた指でスイッチ部３４を誤操作してしまうことを防止することができ、上蓋２０を片手で確実に閉めることができる。
なお、本実施形態では、スイッチ部３４を回動可能に構成したが、これに限ることはなく、スイッチ部３４を押圧することで係止手段（爪部２３及び爪受部３４ｃ）による係止を解除できるのであれば、スイッチ部３４の構成は適宜任意に変更可能であり、例えば、スイッチ部３４は上下方向に揺動可能に構成しても良い。
また、スイッチ部３４や不動側指掛部３５を設ける箇所は、スイッチ部３４や不動側指掛部３５が容器本体１０の平面（上面）視外形からはみ出さないのであれば、適宜任意に変更可能である。
【００９９】
また、以上説明した本実施形態の薄葉紙収納容器１によれば、上面に取出口Ｃａを有し、内側に薄葉紙Ｐを収納するケース体Ｃと、ケース体Ｃに対してスライド移動することで取出口Ｃａを開閉させる蓋体としての上蓋２０と、上蓋２０を開放状態となる方向に付勢する付勢部材５０と、を備え、ケース体Ｃは、容器本体１０と、当該容器本体１０の上面に固定されるシャーシ３０と、を備え、付勢部材５０と上蓋２０とは、シャーシ３０に組み付けられて一体に構成されたアセンブリ体Ａの状態で、容器本体１０に取り付けられている。
具体的には、本実施形態において、容器本体１０は、上面に凹部１３を有し、取出口Ｃａは当該凹部１３に設けられ、アセンブリ体Ａは、凹部１３内に当該凹部１３の上方から嵌め込まれている。
また、以上説明した本実施形態の薄葉紙収納容器１の製造方法によれば、シャーシ３０に、付勢部材５０と上蓋２０とを組み付けてアセンブリ体Ａを形成し、次いで、アセンブリ体Ａを容器本体１０に取り付けるようになっている。
したがって、上蓋２０と付勢部材５０とを別々に容器本体１０に取り付ける必要がないので、組み立てやすい。
【０１００】
なお、今回開示された実施の形態はすべての点で例示であって制限的なものではないと考えられるべきである。また、前述の実施形態及び変形例の構成を組み合わせて適用しても良い。本発明の範囲は上記した説明ではなくて特許請求の範囲によって示され、特許請求の範囲と均等の意味および範囲内でのすべての変更が含まれることが意図される。
【０１０１】
例えば、底蓋４０等に、収納空間部Ｓ内の薄葉紙積層体Ｑを下側から押し上げる部材を設けても良い。
この場合、収納空間部Ｓ内で薄葉紙積層体Ｑが動かないように、当該部材と、ケース側パッキン１４とで、薄葉紙積層体Ｑを挟むことができるので、薄葉紙Ｐを取出口Ｃａからよりスムーズに取り出すことができるとともに、薄葉紙Ｐの取出口Ｃａから突出した部分が収納空間部Ｓ内に落ち込むことをより効果的に抑制することができる。
【０１０２】
また、薄葉紙収納容器１には、上面に近い側はポップアップする高さが低く、下面に近づくにつれてポップアップする高さが高くなる折り方で積層された薄葉紙Ｐを収納するように構成することも可能である。ここで「ポップアップする高さ」とは、最上層の薄葉紙Ｐのうち起立した部分の上下方向の長さ、すなわち薄葉紙積層体Ｑの上面から最上層の薄葉紙Ｐのうち取出口Ｃａから突出した部分の上端までの長さのことである。
薄葉紙積層体における折り方が全体にわたって同一である場合、薄葉紙Ｐの飛び出し長さ（取出口Ｃａから突出した部分の長さ）は、使いはじめでは長く、使い終わりに近づくにつれて短くなる。
ポップアップする高さは、折り幅により決定される。したがって、使いはじめではポップアップする高さが短く、使い終わりに近づくにつれて長くなるような折り方が可能である。このような折り方をした薄葉紙積層体Ｑを用いれば、薄葉紙Ｐの飛び出し長さを使いはじめから使い終わりにかけてほぼ一定にすることができるので、取出口Ｃａから突出した部分が収納空間部Ｓ内に落ち込む、取出口Ｃａから突出した部分が上蓋２０の開閉時に上蓋２０に噛み込まれる等の発生を抑制することができる。
【０１０３】
また、本発明は、薄葉紙を収納するためのケース体の上面に、その開放端を上下方向に回動させることで開閉を行う蓋体を設けた構成にも、適用可能である。
【符号の説明】
【０１０４】
１  薄葉紙収納容器
１４ａ  突出部
１４ｂ  延出部
１４ｄ  指挿入用切欠部（切欠部）
２０  上蓋（蓋体）
Ｃ  ケース体
Ｃａ  取出口
Ｐ  薄葉紙
Ｑ  薄葉紙積層体
Ｔ  包装体
Ｔ１  開口
Ｗ１  延出部の基端の幅
Ｗ２  延出部の幅広部分の幅
Ｗ３  延出部の基端から先端までの長さ
Ｗ４  延出部の先端からケース体のうち当該先端と対向する部分までの長さ
θ  取出口の縁部と延出部の側面とのなす角度
【図１】
2014129108.tif 000003
【図２】
2014129108.tif 000004
【図３】
2014129108.tif 000005
【図４】
2014129108.tif 000006
【図５】
2014129108.tif 000007
【図６】
2014129108.tif 000008
【図７】
2014129108.tif 000009
【図８】
2014129108.tif 000010
【図９】
2014129108.tif 000011
【図１０】
2014129108.tif 000012
【図１１】
2014129108.tif 000013
【図１２】
2014129108.tif 000014
【図１３】
2014129108.tif 000015
【図１４】
2014129108.tif 000016